(57)【要約】【課題】エネルギーを効率的に再生でき、比較的小規模の施設でも使用できる吸着式ヒートポンプシステム及び吸着式ヒートポンプを提供する。【解決手段】吸着式ヒートポンプ２０は、蒸発器２１と、蒸発器２１の上方に配置された吸着器２２ａ〜２２ｄと、凝縮器２３ａ〜２３ｄとを有する。各吸着器２２ａ〜２２ｄには、ステップに応じて加熱媒体供給部から加熱媒体が供給されて再生工程が実施され、冷却媒体供給部から冷却媒体が供給されて吸着工程が実施される。再生工程及び吸着工程のいずれも実施していない２つの吸着器間には、加熱媒体が混じった冷却媒体を循環させる。【選択図】図２
2014062715.tif 000002
【特許請求の範囲】
【請求項１】
第１の冷却配管が設けられた蒸発器と、
伝熱配管と吸着剤とを備え、前記蒸発器の上方に配置された第１の吸着器、第２の吸着器、第３の吸着器及び第４の吸着器と、
第２の冷却配管を備え、前記第１の吸着器の上方に配置された第１の凝縮器、前記第２の吸着器の上方に配置された第２の凝縮器、前記第３の吸着器の上方に配置された第３の凝縮器、及び前記第４の吸着器の上方に配置された第４の凝縮器と、
前記蒸発器と前記第１の吸着器、前記第２の吸着器、前記第３の吸着器、及び前記第４の吸着器との間にそれぞれ配置された第１の開閉バルブと、
前記第１の吸着器と前記第１の凝縮器との間、前記第２の吸着器と前記第２の凝縮器との間、前記第３の吸着器と前記第３の凝縮器との間、及び前記第４の吸着器と前記第４の凝縮器との間にそれぞれ配置された第２の開閉バルブと、
加熱媒体を供給する加熱媒体供給部と、
冷却媒体を供給する冷却媒体供給部と、
前記第１の吸着器、前記第２の吸着器、前記第３の吸着器、及び前記第４の吸着器のうちから選択された２つの吸着器の前記伝熱配管間で前記加熱媒体が混じった前記冷却媒体を循環させるポンプと、
前記加熱媒体及び前記冷却媒体を、それぞれ前記第１の吸着器、前記第２の吸着器、前記第３の吸着器、及び前記第４の吸着器の前記伝熱配管に選択的に供給し、前記冷却媒体を、前記第１の凝縮器、前記第２の凝縮器、前記第３の凝縮器及び前記第４の凝縮器のうちから選択された凝縮器の前記第２の冷却配管に供給し、且つ前記ポンプを制御する制御部と
を有することを特徴とする吸着式ヒートポンプシステム。
【請求項２】
前記制御部は、所定の時間毎に、前記加熱媒体を供給する吸着器、前記冷却媒体を供給する吸着器、及び前記冷却媒体を供給する凝縮器を変更し、前記加熱媒体供給部及び前記冷却媒体供給部のいずれにも接続されていない２つの吸着器の間で前記加熱媒体が混じった前記冷却媒体を循環させることを特徴とする請求項１に記載の吸着式ヒートポンプシステム。
【請求項３】
前記制御部は、前記加熱媒体を供給している前記吸着器の上方に配置された前記凝縮器には前記冷却媒体を供給することを特徴とする請求項１又は２に記載の吸着式ヒートポンプシステム。
【請求項４】
前記制御部は、前記第１の吸着器、前記第２の吸着器、前記第３の吸着器、及び前記第４の吸着器のうちから選択された２つの吸着器に前記加熱媒体を供給するステップと、前記第１の吸着器、前記第２の吸着器、前記第３の吸着器、及び前記第４の吸着器のうちから選択された１つの吸着器に前記加熱媒体を供給するステップとを交互に繰り返すことを特徴とする請求項１乃至３のいずれか１項に記載の吸着式ヒートポンプシステム。
【請求項５】
前記制御部は、前記２つの吸着器に前記加熱媒体を供給するステップでは他の２つの吸着器に前記冷却媒体を供給し、前記１つの吸着器に前記加熱媒体を供給するステップでは、他の１つの吸着器に前記冷却媒体を供給し、残りの２つの吸着器間で前記加熱媒体が混じった前記冷却媒体を循環させることを特徴とする請求項４に記載の吸着式ヒートポンプシステム。
【請求項６】
第１の冷却配管が設けられた蒸発器と、
伝熱配管と吸着剤とを備え、前記蒸発器の上方に配置された第１の吸着器、第２の吸着器、第３の吸着器及び第４の吸着器と、
第２の冷却配管を備え、前記第１の吸着器の上方に配置された第１の凝縮器、前記第２の吸着器の上方に配置された第２の凝縮器、前記第３の吸着器の上方に配置された第３の凝縮器、及び前記第４の吸着器の上方に配置された第４の凝縮器と、
前記蒸発器と前記第１の吸着器、前記第２の吸着器、前記第３の吸着器、及び前記第４の吸着器との間にそれぞれ配置された第１の開閉バルブと、
前記第１の吸着器と前記第１の凝縮との間、前記第２の吸着器と前記第２の凝縮器との間、前記第３の吸着器と前記第３の凝縮器との間、及び前記第４の吸着器と前記第４の凝縮器との間にそれぞれ配置された第２の開閉バルブと
を有することを特徴とする吸着式ヒートポンプ。
【発明の詳細な説明】
【技術分野】
【０００１】
本発明は、吸着式ヒートポンプシステム及び吸着式ヒートポンプに関する。
【背景技術】
【０００２】
近年、高度情報化社会の到来にともなって計算機で多量のデータが扱われるようになり、データセンター等の施設において多数の計算機を同一室内に設置して一括管理することが多くなっている。例えば、データセンターでは、計算機室内に多数のラック（サーバラック）を設置し、各ラックにそれぞれ複数の計算機（サーバ）を収納している。そして、それらの計算機の稼動状態に応じて各計算機にジョブを有機的に配分し、大量のジョブを効率的に処理している。
【０００３】
計算機の稼動にともなって計算機から多量の熱が発生する。計算機内の温度が高くなると誤動作や故障の原因となるため、計算機を冷却することが重要になる。そのため、通常データセンターでは、計算機で発生した熱を送風機によりラックの外に排出するとともに、空調機（エアコン）を使用して室内の温度を調整している。
【０００４】
ところで、データセンターでは、大量の電力が空調設備で消費されている。そこで、計算機等の電子機器から排出される熱（廃熱）を回収し、エネルギーとして再生利用することが提案されている。一般的に、計算機等の電子機器から回収される熱の温度は９０℃以下であるが、吸着式ヒートポンプ（Adsorption Heat Pump:ＡＨＰ）を使用すると、９０℃以下の廃熱を利用して、空調や電子機器の冷却等に使用可能な冷水を得ることができる。
【先行技術文献】
【特許文献】
【０００５】
【特許文献１】特開２００２−１００８９１号公報
【特許文献２】特開２００９−１２１７４０号公報
【発明の概要】
【発明が解決しようとする課題】
【０００６】
エネルギーを効率的に再生でき、比較的小規模の施設でも使用できる吸着式ヒートポンプシステム及び吸着式ヒートポンプを提供することを目的とする。
【課題を解決するための手段】
【０００７】
開示の技術の一観点によれば、第１の冷却配管が設けられた蒸発器と、伝熱配管と吸着剤とを備え、前記蒸発器の上方に配置された第１の吸着器、第２の吸着器、第３の吸着器及び第４の吸着器と、第２の冷却配管を備え、前記第１の吸着器の上方に配置された第１の凝縮器、前記第２の吸着器の上方に配置された第２の凝縮器、前記第３の吸着器の上方に配置された第３の凝縮器、及び前記第４の吸着器の上方に配置された第４の凝縮器と、前記蒸発器と前記第１の吸着器、前記第２の吸着器、前記第３の吸着器、及び前記第４の吸着器との間にそれぞれ配置された第１の開閉バルブと、前記第１の吸着器と前記第１の凝縮器との間、前記第２の吸着器と前記第２の凝縮器との間、前記第３の吸着器と前記第３の凝縮器との間、及び前記第４の吸着器と前記第４の凝縮器との間にそれぞれ配置された第２の開閉バルブと、加熱媒体を供給する加熱媒体供給部と、冷却媒体を供給する冷却媒体供給部と、前記第１の吸着器、前記第２の吸着器、前記第３の吸着器、及び前記第４の吸着器のうちから選択された２つの吸着器の前記伝熱配管間で前記加熱媒体が混じった前記冷却媒体を循環させるポンプと、前記加熱媒体及び前記冷却媒体を、それぞれ前記第１の吸着器、前記第２の吸着器、前記第３の吸着器、及び前記第４の吸着器の前記伝熱配管に選択的に供給し、前記冷却媒体を、前記第１の凝縮器、前記第２の凝縮器、前記第３の凝縮器及び前記第４の凝縮器のうちから選択された凝縮器の前記第２の冷却配管に供給し、且つ前記ポンプを制御する制御部とを有する吸着式ヒートポンプシステムが提供される。
【発明の効果】
【０００８】
上記の吸着式ヒートポンプシステムによれば、エネルギーを効率的に再生でき、比較的小規模の施設でも吸着式ヒートポンプを使用することができる。
【図面の簡単な説明】
【０００９】
【図１】図１は、吸着式ヒートポンプの一例を表した模式図である。
【図２】図２は、実施形態で使用する吸着式ヒートポンプを表した模式図である。
【図３】図３は、凝縮器と冷却装置との接続を示す図である。
【図４】図４は、吸着器と温水供給部及び冷却装置との接続を示す図である。
【図５】図５は、第１ステップにおいて、冷却装置から凝縮器に供給される冷却水の流れを示す図である。
【図６】図６は、第１ステップにおいて、各吸着器に供給される冷却水及び温水の流れを示す図である。
【図７】図７は、第１ステップにおいて、各開閉バルブの状態を示す図である。
【図８】図８は、第２ステップにおいて、冷却装置から凝縮器に供給される冷却水の流れを示す図である。
【図９】図９は、第２ステップにおいて、各吸着器に供給される冷却水及び温水の流れを示す図である。
【図１０】図１０は、第２ステップにおいて、各開閉バルブの状態を示す図である。
【図１１】図１１は、第３ステップにおいて、冷却装置から凝縮器に供給される冷却水の流れを示す図である。
【図１２】図１２は、第３ステップにおいて、各吸着器に供給される冷却水及び温水の流れを示す図である。
【図１３】図１３は、第３ステップにおいて、各開閉バルブの状態を示す図である。
【図１４】図１４は、第４ステップにおいて、冷却装置から凝縮器に供給される冷却水の流れを示す図である。
【図１５】図１５は、第４ステップにおいて、各吸着器に供給される冷却水及び温水の流れを示す図である。
【図１６】図１６は、第４ステップにおいて、各開閉バルブの状態を示す図である。
【図１７】図１７は、第５ステップにおいて、冷却装置から凝縮器に供給される冷却水の流れを示す図である。
【図１８】図１８は、第５ステップにおいて、各吸着器に供給される冷却水及び温水の流れを示す図である。
【図１９】図１９は、第５ステップにおいて、各開閉バルブの状態を示す図である。
【図２０】図２０は、第６ステップにおいて、冷却装置から凝縮器に供給される冷却水の流れを示す図である。
【図２１】図２１は、第６ステップにおいて、各吸着器に供給される冷却水及び温水の流れを示す図である。
【図２２】図２２は、第６ステップにおいて、各開閉バルブの状態を示す図である。
【図２３】図２３は、第７ステップにおいて、冷却装置から凝縮器に供給される冷却水の流れを示す図である。
【図２４】図２４は、第７ステップにおいて、各吸着器に供給される冷却水及び温水の流れを示す図である。
【図２５】図２５は、第７ステップにおいて、各開閉バルブの状態を示す図である。
【図２６】図２６は、第８ステップにおいて、冷却装置から凝縮器に供給される冷却水の流れを示す図である。
【図２７】図２７は、第８ステップにおいて、各吸着器に供給される冷却水及び温水の流れを示す図である。
【図２８】図２８は、第８ステップにおいて、各開閉バルブの状態を示す図である。
【発明を実施するための形態】
【００１０】
以下、実施形態について説明する前に、実施形態の理解を容易にするための予備的事項について説明する。
【００１１】
図１は吸着式ヒートポンプの一例を表した模式図である。
【００１２】
図１に例示する吸着式ヒートポンプ１０は、蒸発器１１と、蒸発器１１の上方に配置された凝縮器１２と、蒸発器１１と凝縮器１２との間に並列に配置された吸着器１３ａ，１３ｂとを有する。吸着式ヒートポンプ１０内の空間は、例えば１／１００気圧程度に減圧されている。
【００１３】
蒸発器１１には、冷却水が通る冷却配管１１ａと、冷媒を貯留するためのバット１１ｂとが設けられている。冷媒には水又はアルコール等が使用されるが、ここでは冷媒として水を使用するものとする。
【００１４】
吸着器１３ａ，１３ｂ内には、それぞれ伝熱配管１４と吸着剤（デシカント）１５とが配置されている。また、吸着器１３ａと蒸発器１１とは開閉バルブ１６ａを介して連結されており、吸着器１３ｂと蒸発器１１とは開閉バルブ１６ｂを介して連結されている。吸着剤１５には、例えば活性炭、シリカゲル又はゼオライトなどが使用される。
【００１５】
凝縮器１２には、多数のプレートフィンが取り付けられた冷却配管１２ａが配置されている。凝縮器１２と吸着器１３ａとの間には開閉バルブ１７ａが配置されており、凝縮器１２と吸着器１３ｂとの間には開閉バルブ１７ｂが配置されている。
【００１６】
開閉バルブ１６ａ，１６ｂ，１７ａ，１７ｂは、例えば制御部（図示せず）から出力される電気信号により開閉する。また、凝縮器１２と蒸発器１１とは、配管１８により連結されている。
【００１７】
以下、上述の吸着式ヒートポンプ１０の動作について説明する。
【００１８】
ここでは、初期状態において、蒸発器１１と吸着器１３ａとの間の開閉バルブ１６ａ及び吸着器１３ｂと凝縮器１２との間の開閉バルブ１７ｂがいずれも開状態であるとする。また、蒸発器１１と吸着器１３ｂとの間の開閉バルブ１６ｂ及び吸着器１３ａと凝縮器１２との間の開閉バルブ１７ａがいずれも閉状態であるとする。更に、凝縮器１２の冷却配管には冷却水が供給され、吸着器１３ｂの伝熱配管１４には電子機器で発生した熱により温められた温水が供給されるものとする。
【００１９】
吸着器１３ａでは、吸着剤１５が雰囲気中の水分を吸着するのにともなって吸着器１３ａ内の圧力が低下する。吸着器１３ａと蒸発器１１との間の開閉バルブ１６ａが開状態であるので、蒸発器１１内の圧力も低下し、それにともなってバット１１ｂに貯留された水が蒸発して、冷却配管１１ａから潜熱を奪う。これにより、冷却配管１１ａ内を通る水の温度が下がり、冷却配管１１ａから低温の冷却水が排出される。この冷却水は、例えば室内の空調や電子機器の冷却に使用される。
【００２０】
蒸発器１１で発生した水蒸気は、開閉バルブ１６ａを介して吸着器１３内に進入し、吸着剤１５に吸着される。
【００２１】
一方の吸着器１３ａで吸着剤１５に水分を吸着する吸着工程を実施している間、他方の吸着器１３ｂでは吸着剤１５を再生（乾燥）する再生工程を実施する。すなわち、吸着器１３ｂでは、吸着剤１５に吸着されていた水分が伝熱配管１４内を通る温水により加熱されて水蒸気になり、吸着剤１５から離脱する。吸着器１３ｂで発生した水蒸気は、開状態の開閉バルブ１７ｂを通って凝縮器１２内に進入する。
【００２２】
吸着器１３ｂから凝縮器１２内に進入した水蒸気は、冷却配管１２ａ内を通る冷却水により冷却され、冷却配管１２ａの周囲で凝縮して液体となる。この液体は、配管１８を介して蒸発器１１に移動し、バット１１ｂ内に貯留される。
【００２３】
吸着器１３ａ内の吸着剤１５がある程度水分を吸着すると、吸着剤１５の吸着効率が低下する。そこで、制御部は、一定の時間が経過すると、温水の供給先を吸着器１３ｂから吸着器１３ａに切り替えるとともに、開閉バルブ１６ａ，１７ｂを閉状態、開閉バルブ１６ｂ，１７ａを開状態にする。これにより、吸着器１３ｂ内の吸着剤１５で水分の吸着が開始され、吸着器１３ａ内の吸着剤１５では水分が蒸発して吸着剤１５が再生される。
【００２４】
このように一定の時間毎に温水の供給先を吸着器１３ａと吸着器１３ｂとの間で切り替えることにより、吸着式ヒートポンプ１０が連続的に稼動する。
【００２５】
ところで、上述したように凝縮器１２の冷却配管１２ａには冷却水を供給する必要がある。通常、凝縮器１２に供給する冷却水には循環水を使用しており、循環水の温度が上昇しないように冷却装置で冷却している。冷却装置で消費する電力量が多いと、吸着式ヒートポンプを使用することにより得られる省エネルギー効果が削減されてしまう。そのため、冷却装置には消費電力が比較的小さい空冷式のファンコイル、散水式のクーリングタワー、又はそれらを併設して用いることが多い。
【００２６】
しかし、空冷式のファンコイルや散水式のクーリングタワーを設置するためには比較的大きなスペースが必要であり、上述した吸着式ヒートポンプを小規模の施設で使用することは困難である。
【００２７】
以下の実施形態では、エネルギーを効率的に再生でき、比較的小規模の施設でも使用できる吸着式ヒートポンプシステムについて説明する。
【００２８】
（実施形態）
図２は、実施形態に係る吸着式ヒートポンプシステムで使用する吸着式ヒートポンプを表した模式図である。
【００２９】
本実施形態で使用する吸着式ヒートポンプ２０は、図２に示すように、蒸発器２１と、４基の吸着器２２ａ，２２ｂ，２２ｃ，２２ｄと、４基の凝縮器２３ａ，２３ｂ，２３ｃ，２３ｄとを有する。
【００３０】
吸着器２２ａ，２２ｂ，２２ｃ，２２ｄは蒸発器２１の上方に並列に配置されており、凝縮器２３ａ，２３ｂ，２３ｃ，２３ｄはそれぞれ対応する吸着器２２ａ，２２ｂ，２２ｃ，２２ｄの上方に配置されている。吸着式ヒートポンプ２０内の空間は、例えば１／１００気圧程度に減圧されている。
【００３１】
蒸発器２１には、冷却水が通る冷却配管２１ａと、冷媒を貯留するためのバット２１ｂとが設けられている。冷媒として水又はアルコール等を使用できるが、本実施形態では冷媒として水を使用するものとする。
【００３２】
吸着器２２ａ，２２ｂ，２２ｃ，２２ｄ内には、それぞれ伝熱配管２４と吸着剤（デシカント）２５とが配置されている。吸着剤２５として、例えば活性炭、シリカゲル又はゼオライトなどが使用される。
【００３３】
吸着器２２ａと蒸発器２１との間は開閉バルブ２６ａを介して連結されており、吸着器２２ｂと蒸発器２１との間は開閉バルブ２６ｂを介して連結されている。また、吸着器２２ｃと蒸発器２１との間は開閉バルブ２６ｃを介して連結されており、吸着器２２ｄと蒸発器２１との間は開閉バルブ２６ｄを介して連結されている。
【００３４】
凝縮器２３ａ，２３ｂ，２３ｃ，２３ｄには、それぞれ冷却配管２７が配置されている。これらの冷却配管２７には、熱交換効率を向上させるために、多数のプレートフィンが設けられている。
【００３５】
凝縮器２３ａと吸着器２２ａとの間には開閉バルブ２８ａが配置されており、凝縮器２３ｂと吸着器２２ｂとの間には開閉バルブ２８ｂが配置されている。また、凝縮器２３ｃと吸着器２２ｃとの間には開閉バルブ２８ｃが配置されており、凝縮器２３ｄと吸着器２２ｄとの間には開閉バルブ２８ｄが配置されている。
【００３６】
開閉バルブ２６ａ〜２６ｄ及び開閉バルブ２８ａ〜２８ｄは、後述する制御部３０から出力される電気信号により開閉する。開閉バルブ２６ａ〜２６ｄ及び開閉バルブ２８ａ〜２８ｄのいずれか一方又は両方に、気圧差により自動的に開閉する差圧駆動式バルブを採用してもよい。これにより、より一層の省電力化を図ることができる。
【００３７】
凝縮器２３ａ，２３ｂ，２３ｃ，２３ｄと蒸発器２１との間は、それぞれ配管２９により連結されている。
【００３８】
図３は、凝縮器２３ａ〜２３ｄと冷却装置３１との接続を示す図である。ここでは、冷却装置３１として、ファンコイルと散水式のクーリングタワーとを併用するものとしている。冷却装置３１からは、冷却水として、例えば外気温程度の水、又は外気温よりも数℃程度低い水が供給される。冷却水は、冷却媒体の一例である。冷却装置（冷却媒体供給部）は低消費電力のものであればよく、装置の種類は限定されない。
【００３９】
なお、図３中に示す切替バルブ３３ａ〜３３ｈ及び切替バルブ３４ａ〜３４ｄは、いずれも３つの接続部ａ，ｂ，ｃを有している。また、これらの切替バルブ３３ａ〜３３ｈ及び切替バルブ３４ａ〜３４ｄは、いずれも制御部３０からの信号により駆動される。更に、本実施形態では、吸着式ヒートポンプ２０は室内に設置され、冷却装置３１は屋外に設置されるものとする。吸着式ヒートポンプ２０は、屋外に設置されていてもよい。
【００４０】
図３のように、凝縮器２３ａの冷却配管２７の一方の端部は切替バルブ３３ａの接続部ｂに接続され、他方の端部は切替バルブ３３ｂの接続部ｂに接続されている。また、凝縮器２３ｂの冷却配管２７の一方の端部は切替バルブ３３ｃの接続部ｂに接続され、他方の端部は切替バルブ３３ｄの接続部ｂが接続されている。更に、凝縮器２３ｃの冷却配管２７の一方の端部は切替バルブ３３ｅの接続部ｂに接続され、他方の端部は切替バルブ３３ｆの接続部ｂに接続されている。更にまた、凝縮器２３ｄの冷却配管２７の一方の端部は切替バルブ３３ｇの接続部ｂに接続され、他方の端部は切替バルブ３３ｈの接続部ｂに接続されている。
【００４１】
冷却装置３１のアウトレットは循環ポンプ３２のインレットに接続されており、循環ポンプ３２のアウトレットは配管４１ａを介して切替バルブ３４ａの接続部ｃに接続されている。また、切替バルブ３４ａの接続部ａは配管４１ｂを介して切替バルブ３４ｂの接続部ｃに接続されている。更に、切替バルブ３４ｂの接続部ａは配管４２ａを介して切替バルブ３３ａの接続部ａに接続されており、切替バルブ３３ａの接続部ｃは配管４２ｂを介して切替バルブ３３ｂの接続部ａに接続されている。
【００４２】
切替バルブ３３ｂの接続部ｃは配管４２ｃを介して切替バルブ３３ｃの接続部ａに接続されており、切替バルブ３３ｃの接続部ｃは配管４２ｄを介して切替バルブ３３ｄの接続部ａに接続されている。また、切替バルブ３３ｄの接続部ｃは配管４２ｅを介して切替バルブ３３ｅの接続部ａに接続されており、切替バルブ３３ｅの接続部ｃは配管４２ｆを介して切替バルブ３３ｆの接続部ａに接続されている。
【００４３】
切替バルブ３３ｆの接続部ｃは配管４２ｇを介して切替バルブ３３ｇの接続部ａに接続されており、切替バルブ３３ｇの接続部ｃは配管４２ｈを介して切替バルブ３３ｈの接続部ａに接続されている。
【００４４】
また、切替バルブ３３ｈの接続部ｃは配管４２ｉを介して切替バルブ３４ｃの接続部ｃに接続されており、切替バルブ３４ｃの接続部ａは配管４１ｃを介して切替バルブ３４ｄの接続部ｃに接続されている。そして、この切替バルブ３４ｄの接続部ａが配管４１ｄを介して冷却装置３１のインレットに接続されている。
【００４５】
また、切替バルブ３４ａの接続部ｂは配管３７ａを介して切替バルブ３４ｃの接続部ｂに接続され、切替バルブ３４ｂの接続部ｂは配管３７ｂを介して切替バルブ３４ｄの接続部ｂに接続されている。
【００４６】
図４は、吸着器２２ａ〜２２ｄと温水供給部及び冷却装置との接続を示す図である。図４中に示す切替バルブ５１ａ〜５１ｋ，５２ａ〜５２ｊ，５３ａ〜５３ｇも、それぞれ３つの接続部ａ，ｂ，ｃを有し、前述の制御部３０からの信号により駆動される。
【００４７】
温水供給部３６は、サーバ（電子機器）のＣＰＵ（熱源）から発生する熱により加熱された温水を供給する。本実施形態では、温水供給部３６から、６０℃程度の温水が供給されるものとする。温水は加熱媒体の一例であり、温水供給部３６は加熱媒体供給部の一例である。
【００４８】
冷却装置３７は、凝縮器２３ａ〜２３ｄに冷却水を供給する冷却装置３１と兼用してもよく、冷却装置３１とは別の散水式のクーリングタワーを用意し、その散水式のクーリングタワーを冷却装置３７としてもよい。この冷却装置３７も、空冷方式の冷却装置（冷却媒体供給部）の一例である。また、この冷却装置３７から供給される冷却水も、冷却媒体の一例である。
【００４９】
温水供給部３６のアウトレット側（温水供給側）と吸着器２２ａの伝熱配管２４の一端側との間をつなぐ配管４３ａには、切替バルブ５１ａ、切替バルブ５１ｂ、切替バルブ５１ｃ、切替バルブ５１ｄ、及び切替バルブ５１ｅが、吸着器２２ａ側からこの順番で接続されている。
【００５０】
また、温水供給部３６のインレット側（温水戻り側）と吸着器２２ａの伝熱配管２４の他端側との間をつなぐ配管４３ｂには、切替バルブ５１ｆ、切替バルブ５１ｇ、切替バルブ５１ｈ、切替バルブ５１ｉ、切替バルブ５１ｊ、及び切替バルブ５１ｋが、吸着器２２ａ側からこの順番で接続されている。
【００５１】
更に、冷却装置３７のアウトレット側（冷却水供給側）と吸着器２２ｄの伝熱配管２４の一端側との間をつなぐ配管４３ｇには、切替バルブ５２ａ、切替バルブ５２ｂ、切替バルブ５２ｃ、切替バルブ５２ｄ、及び切替バルブ５２ｅが、吸着器２２ｄ側からこの順番で接続されている。
【００５２】
更にまた、冷却装置３７のインレット側（冷却水戻り側）と吸着器２２ｄの伝熱配管２４の他端側との間をつなぐ配管４３ｈには、切替バルブ５２ｆ、切替バルブ５２ｇ、切替バルブ５２ｈ、切替バルブ５２ｉ、及び切替バルブ５２ｊが、吸着器２２ｄ側からこの順番で接続されている。
【００５３】
切替バルブ５１ａの接続部ｂは、配管４４ａを介して切替バルブ５３ａの接続部ｃに接続されている。この切替バルブ５３ａの接続部ｂは、吸着器２２ａの伝熱配管２４と切替バルブ５１ｆとの間の配管４３ｂに接続されている。また、この切替バルブ５３ａの接続部ａは、配管４４ｂを介して切替バルブ５３ｂの接続部ｃに接続されており、配管４４ｂの途中にはポンプ５４ａが配設されている。
【００５４】
切替バルブ５３ｂの接続部ａは、配管４４ｃを介して切替バルブ５３ｃの接続部ｃに接続されており、配管４４ｃの途中にはポンプ５４ｂが配設されている。また、切替バルブ５３ｃの接続部ａは、配管４４ｄを介して切替バルブ５２ａの接続部ｂに接続されており、配管４４ｄの途中にはポンプ５４ｃが配設されている。
【００５５】
切替バルブ５１ｆの接続部ｂは配管４５ａを介して切替バルブ５３ｄの接続部ｃに接続されており、切替バルブ５３ｄの接続部ａは配管４５ｂを介して切替バルブ５３ｅの接続部ｃに接続されている。また、切替バルブ５３ｅの接続部ａは配管４５ｃを介して切替バルブ５３ｆの接続部ｃに接続されており、切替バルブ５３ｆの接続部ａは配管４５ｄを介して切替バルブ５２ｆの接続部ｂに接続されている。この切替バルブ５３ｆの接続部ｂは、切替バルブ５２ａと切替バルブ５２ｂとの間の配管４３ｇに接続されている。
【００５６】
切替バルブ５１ｂの接続部ｂは配管４６ａを介して切替バルブ５２ｂの接続部ｂに接続されており、切替バルブ５１ｃの接続部ｂは配管４６ｂを介して切替バルブ５２ｃの接続部ｂに接続されている。また、切替バルブ５１ｄの接続部ｂは配管４６ｃを介して切替バルブ５２ｄの接続部ｂに接続されている。この配管４６ｃには、切替バルブ５１ｇの接続部ｂ及び切替バルブ５３ｇの接続部ｂも接続されている。
【００５７】
切替バルブ５１ｅの接続部ｂは配管４６ｄを介して切替バルブ５２ｅの接続部ｂに接続されており、切替バルブ５１ｈの接続部ｂは配管４６ｅを介して切替バルブ５２ｇの接続部ｂに接続されている。また、切替バルブ５１ｉの接続部ｂは配管４６ｆを介して切替バルブ５２ｈの接続部ｂに接続されており、切替バルブ５１ｊの接続部ｂは配管４６ｇを介して切替バルブ５２ｉの接続部ｂに接続されている。更に、切替バルブ５１ｋの接続部ｂは配管４６ｈを介して切替バルブ５２ｊの接続部ｂに接続されている。
【００５８】
吸着器２２ｂの伝熱配管２４の一端側は、配管４３ｃを介して切替バルブ５３ｂの接続部ｂに接続されているとともに、配管４６ｂに接続されている。また、吸着器２２ｂの伝熱配管２４の他端側は、配管４３ｄを介して切替バルブ５３ｄの接続部ｂに接続されているとともに、配管４６ｆに接続されている。
【００５９】
吸着器２２ｃの伝熱配管２４の一端側は、配管４３ｅを介して切替バルブ５３ｃの接続部ｂに接続されているとともに、配管４６ｃに接続されている。また、吸着器２２ｃの伝熱配管２４の他端側は、配管４３ｆを介して切替バルブ５３ｅの接続部ｂ及び切替バルブ５３ｇの接続部ａに接続されている。この切替バルブ５３ｇの接続部ｃは、配管４３ｉを介して配管４６ｇに接続されている。
【００６０】
これらの切替バルブ５１ａ〜５１ｋ，５２ａ〜５２ｊ，５３ａ〜５３ｇ及びポンプ５４ａ〜５４ｃも、制御部３０からの信号により駆動される。
【００６１】
以下、上述した吸着式ヒートポンプシステムの動作について、図５〜図２８を参照して説明する。ここでは、説明の便宜上、図５，図６に示す状態を初期状態とし、初期状態では吸着器２２ａ，２２ｂ内の吸着剤２５が水分を吸着した状態であり、吸着器２２ｃ，２２ｄの吸着剤２５は乾燥した状態であるとする。
【００６２】
制御部３０は、第１ステップから第８ステップまでを順番に且つ繰り返し実施するために、開閉バルブ２６ａ〜２６ｄ，２８ａ〜２８ｄ、切替バルブ３３ａ〜３３ｈ，３４ａ〜３４ｄ，５１ａ〜５１ｋ．５２ａ〜５２ｊ，５３ａ〜５３ｇ及びポンプ３２，５４ａ〜５４ｃを適宜駆動する。
【００６３】
１ステップ当たりの実行時間は適宜設定すればよいが、本実施形態では１ステップ当たりの実行時間を５分間程度とする。
【００６４】
（第１ステップ）
第１ステップでは、図５に示すように、冷却装置３１から供給される冷却水が、凝縮器２３ｃ，２３ｄをバイパスし、凝縮器２３ｂ及び凝縮器２３ａを順に通るように、切替バルブ３３ａ〜３３ｈ，３４ａ〜３４ｄが駆動される。
【００６５】
また、第１ステップでは、図６に示すように、温水供給部３６から吸着器２２ａに温水が供給され、冷却装置３７から吸着器２２ｃに冷却水が供給され、吸着器２２ｂと吸着器２２ｄとの間で冷却水が循環するように、切替バルブ５１ａ〜５１ｋ，５２ａ〜５２ｊ，５３ａ〜５３ｇ及びポンプ５４ｂ，５４ｃが駆動される。
【００６６】
更に、第１ステップでは、図７に示すように、開閉バルブ２６ａ，２６ｂ，２６ｄ，２８ｃ，２８ｄが閉状態、開閉バルブ２６ｃ，２８ａ，２８ｂが開状態となる。
【００６７】
第１ステップでは、吸着器２２ｃ内の吸着剤２５が吸着器２２ｃ内の水分を吸着するのにともなって、吸着器２２ｃ内の圧力が低下する。このとき、開閉バルブ２８ｃが閉状態であり、開閉バルブ２６ｃが開状態であるので、蒸発器２１内の圧力も吸着器２２ｃ内の圧力と同様に低下する。
【００６８】
蒸発器２１内の圧力が低下すると、バット２１ｂに貯留された水が蒸発し、冷却配管２１ａから潜熱を奪う。これにより、冷却配管２１ａ内を通る水の温度が下がり、冷却配管２１ａから低温の冷却水が排出される。この冷却水は、例えば室内の空調や電子機器の冷却に使用される。
【００６９】
蒸発器２１で発生した水蒸気は、開閉バルブ２６ｃを通って吸着器２２ｃ内に進入し、吸着剤２５に吸着される。吸着剤２５が水分を吸着するときには吸着熱が発生する。吸着剤２５の温度が上昇すると吸着剤２５の吸着効率が低下するが、第１ステップでは吸着器２２ｃに冷却水が供給されるので、吸着剤２５の温度上昇が回避される。
【００７０】
一方、吸着器２２ａでは、温水供給部３６から温水が供給されるので、吸着剤２５に吸着されている水分が温水により加熱されて水蒸気になる。このとき、開閉バルブ２６ａが閉状態であり、開閉バルブ２８ａが開状態であるので、吸着器２２ａで発生した水蒸気は開閉バルブ２８ａを通って凝縮器２３ａに進入する。
【００７１】
吸着器２２ａから凝縮器２３ａ内に進入した水蒸気は、凝縮器２３ａの冷却配管２７内を通る冷却水により冷却され、凝縮器２３ａ内で凝縮して液体となる。この液体となった水分は、配管２９を介して蒸発器２１に移動し、バット２１ｂ内に貯留される。
【００７２】
このように、第１ステップでは凝縮器２２ｃで吸着工程が実施され、凝縮器２２ａで再生工程が実施される。この間、凝縮器２２ｂ，２２ｃ間には冷却水が循環している。
【００７３】
（第２ステップ）
第２ステップでは、図８に示すように、冷却装置３１から供給される冷却水が凝縮器２３ａ，２３ｂを通り、凝縮器２３ｃ，２３ｄをバイパスするように、切替バルブ３３ａ〜３３ｈ，３４ａ〜３４ｄが駆動される。但し、第１ステップでは凝縮器２３ｂ、凝縮器２３ａの順に冷却水が流れるのに対し、第２ステップでは凝縮器２３ａ、凝縮器２３ｂの順に冷却水が流れる。
【００７４】
また、第２ステップでは、図９に示すように、温水供給部３６から吸着器２２ａ、吸着器２２ｂの順に温水が供給され、冷却装置３７から吸着器２２ｃ、吸着器２２ｄの順に冷却水が供給されるように、切替バルブ５１ａ〜５１ｋ，５２ａ〜５２ｊ，５３ａ〜５３ｇが駆動される。更に、開閉バルブ２６ａ，２６ｂ，２８ｃ，２８ｄは閉状態、開閉バルブ２６ｃ，２６ｄ，２８ａ，２８ｂは開状態となる。
【００７５】
更に、第２ステップでは、図１０に示すように、開閉バルブ２６ａ，２６ｂ，２８ｃ，２８ｄが閉状態、開閉バルブ２６ｃ，２６ｄ，２８ａ，２８ｂが開状態となる
第２ステップでは、温水供給部３６から吸着器２２ａ，２２ｂに温水が供給され、冷却装置３１から凝縮器２３ａ，２３ｂに冷却水が供給されるので、吸着器２２ａ，２２ｂでは再生工程が実施される。
【００７６】
この場合、温水供給部３６から供給される温水は、まず吸着器２２ａの伝熱配管２４内を通り、その後吸着器２２ｂの伝熱配管２４内を通る。また、冷却装置３１から供給される冷却水は、まず凝縮器２３ａの冷却配管２７内を通り、その後凝縮器２３ｂの冷却配管２７内を通る。このため、吸着器２２ａのほうが、吸着器２２ｂよりも再生効率が高くなる。
【００７７】
一方、吸着器２２ｃ，２２ｄでは、冷却装置３７から冷却水が供給され、吸着工程が実施される。この場合、冷却装置３７から供給される冷却水は、まず吸着器２２ｃの伝熱配管２４内を通り、その後吸着器２２ｄの伝熱配管２４内を通る。このため、吸着器２２ｃのほうが、吸着器２２ｄよりも吸着効率が高くなる。
【００７８】
（第３ステップ）
第３ステップでは、図１１に示すように、冷却装置３１から供給される冷却水が、凝縮器２３ｄをバイパスし、凝縮器２３ｃ，２３ｂを順に通り、その後凝縮器２３ａをバイパスするように、切替バルブ３３ａ〜３３ｈ，３４ａ〜３４ｄが駆動される。
【００７９】
また、第３ステップでは、図１２に示すように、温水供給部３６から吸着器２２ｂに温水が供給され、冷却装置３７から吸着器２２ｄに冷却水が供給され、吸着器２２ａと吸着器２２ｃとの間で冷却水が循環するように、切替バルブ５１ａ〜５１ｋ，５２ａ〜５２ｊ，５３ａ〜５３ｇ及びポンプ５４ａ，５４ｂが駆動される。
【００８０】
更に、第３ステップでは、図１３に示すように、開閉バルブ２６ａ，２６ｂ，２６ｃ，２８ａ，２８ｄが閉状態、開閉バルブ２６ｄ，２８ｂ，２８ｃが開状態となる。
【００８１】
第３ステップでは、温水供給部３６から吸着器２２ｂに温水が供給され、冷却装置３１から凝縮器２３ｂに冷却水が供給されるので、吸着器２２ｂでは再生工程が実施される。また、吸着器２２ｄの伝熱配管２４には冷却装置３７から冷却水が供給され、吸着器２２ｄでは吸着工程が実施される。
【００８２】
前述の第２ステップでは、吸着器２２ａが再生工程を実施し、吸着器２２ｃが吸着工程を実施しているので、第２ステップが終了した時点では吸着器２２ａ内の温度は比較的高く、吸着器２２ｃ内の温度は比較的低い状態である。
【００８３】
第３のステップでは、吸着器２２ａと吸着器２２ｃとの間で冷却水（温水が混じった冷却水）を循環させているので、吸着器２２ａ内の温度が低下し、吸着器２２ｃ内の温度が上昇して、吸着器２２ａと吸着器２２ｃとの間の温度差が小さくなる。
【００８４】
この場合、吸着器２２ｃ内の温度上昇にともなって、吸着器２２ｃ内の吸着剤２５に吸着されている水分が蒸発する。この吸着器２２ｃ内で発生した水蒸気は開閉バルブ２８ｃを通って凝縮器２３ｃ内に移動し、凝縮器２３ｃ内で凝縮して液体になる。この液体は、配管２９を通って蒸発器２１に移動し、バット２１ｂ内に貯留される。
【００８５】
（第４ステップ）
第４ステップでは、図１４に示すように、冷却装置３１から供給される冷却水が、凝縮器２３ａをバイパスし、凝縮器２３ｂ，２３ｃを順に通り、凝縮器２３ｄをバイパスするように、切替バルブ３３ａ〜３３ｈ，３４ａ〜３４ｄが駆動される。
【００８６】
また、第４ステップでは、図１５に示すように、温水供給部３６から吸着器２２ｂ、吸着器２２ｃの順に温水が流れ、冷却装置３７から吸着器２３ｄ、吸着器２３ａの順に冷却水が流れるように、切替バルブ５１ａ〜５１ｋ，５２ａ〜５２ｊ，５３ａ〜５３ｇ及びポンプ５４ａ〜５４ｃが駆動される。
【００８７】
更に、第４ステップでは、図１６に示すように、開閉バルブ２６ｂ，２６ｃ，２８ａ，２８ｄが閉状態、開閉バルブ２６ａ，２６ｄ，２８ｂ，２８ｃが開状態となる。
【００８８】
第４ステップでは、吸着器２２ｂ，２２ｃの伝熱配管２４に温水が供給され、凝縮器２３ｂ，２３ｃの冷却配管２７に冷却水が供給されるので、吸着器２２ｂ，２２ｃでは再生工程が実施される。
【００８９】
この場合、前述の第３ステップにおいて吸着器２２ａ，２２ｃ間で冷却水を循環させて吸着器２２ｃ内の温度を予め上昇させているので、吸着器２２ｃの温度を上昇させるために使用されて蒸気の発生に寄与しない温水の量が少なくてすみ、温水の利用効率が向上する。
【００９０】
これにより、吸着器２２ｃで発生する蒸気の量、及び凝縮器２３ｃで凝縮する水蒸気の量が多くなる。その結果、凝縮器２３ｃで発生する吸着熱の量が多くなり、凝縮器２３ｃの冷却配管２７内を通る冷却水の温度が高くなる。
【００９１】
空冷方式の冷却装置では、冷却装置に戻る冷却水の温度が高いほど熱交換効率が高くなる。本実施形態では、上述したように冷却装置３１に戻る冷却水の温度が高いため、冷却装置の熱交換効率が高い。このため、冷却装置３１の小型化が可能になる。
【００９２】
一方、吸着器２２ａ，２２ｄでは、冷却装置３７から冷却水が供給され、吸着工程が実施される。この場合、前述の第３ステップで吸着器２２ａ，２２ｃ間に冷却水を循環させて吸着器２２ａ内の温度を予め下げているので、吸着器２２ａの温度を下げるために使用されて水分の凝縮に寄与しない冷却水の量が少なくてすみ、冷却水の利用効率が向上する。これにより、冷却装置３７として、小型の冷却装置を使用することができる。
【００９３】
（第５ステップ）
第５ステップでは、図１７に示すように、冷却装置３１から供給される冷却水が、凝縮器２３ｄをバイパスし、凝縮器２３ｃ，２３ｂを順に通り、凝縮器２３ａをバイパスするように、切替バルブ３３ａ〜３３ｈ，３４ａ〜３４ｄが駆動される。
【００９４】
また、第５ステップでは、図１８に示すように、温水供給部３６から吸着器２２ｃに温水が供給され、冷却装置３７から吸着器２２ａに冷却水が供給され、吸着器２２ｂと吸着器２２ｄとの間で冷却水が循環するように、切替バルブ５１ａ〜５１ｋ，５２ａ〜５２ｊ，５３ａ〜５３ｇ及びポンプ５４ｂ，５４ｃが駆動される。
【００９５】
更に、第５ステップでは、図１９に示すように、開閉バルブ２６ｂ，２６ｃ，２６ｄ，２８ａ，２８ｂが閉状態、開閉バルブ２６ａ，２８ｃ，２８ｄが開状態となる。
【００９６】
第５ステップでは、温水供給部３６から吸着器２２ｃに温水が供給され、冷却装置３１から凝縮器２３ｃに冷却水が供給されるので、吸着器２２ｃでは再生工程が実施される。また、吸着器２２ａには冷却装置３７から冷却水が供給され、吸着工程が実施される。
【００９７】
前述の第４ステップでは、吸着器２２ｂが再生工程を実施し、吸着器２２ｄが吸着工程を実施しているので、第４ステップが終了した時点では吸着器２２ｂ内の温度は比較的高く、吸着器２２ｄ内の温度は比較的低い状態である。
【００９８】
第５ステップでは、吸着器２２ｂと吸着器２２ｄとの間で冷却水を循環させるので、吸着器２２ｂ内の温度が低下し、吸着器２２ｄ内の温度が上昇して、吸着器２２ｂと吸着器２２ｄとの間の温度差が小さくなる。
【００９９】
この場合、吸着器２２ｄ内の温度上昇にともなって、吸着器２２ｄ内の吸着剤２５に吸着されている水分が蒸発する。この吸着器２２ｄ内で発生した水蒸気は開閉バルブ２８ｄを通って凝縮器２３ｄ内に移動し、凝縮器２３ｄ内で凝縮して液体になる。この液体は、配管２９を通って蒸発器２１に移動し、バット２１ｂ内に貯留される。
【０１００】
（第６ステップ）
第６ステップでは、図２０に示すように、冷却装置３１から供給される冷却水が、凝縮器２３ａ，２３ｂをバイパスし、凝縮器２３ｃ，２３ｄを順に通るように、切替バルブ３３ａ〜３３ｈ，３４ａ〜３４ｄが駆動される。
【０１０１】
また、第６ステップでは、図２１に示すように、温水供給部３６から吸着器２２ｃ，２２ｄに温水が供給され、冷却装置３７から吸着器２２ａ，２２ｂに冷却水が供給されるように、切替バルブ５１ａ〜５１ｋ，５２ａ〜５２ｊ，５３ａ〜５３ｇが駆動される。
【０１０２】
更に、第６ステップでは、図２２に示すように、開閉バルブ２６ｃ，２６ｄ，２８ａ，２８ｂが閉状態、開閉バルブ２６ａ，２６ｂ，２８ｃ，２８ｄが開状態となる。
【０１０３】
第６ステップでは、温水供給装置３６から吸着器２２ｃ，２２ｄに温水が供給され、冷却装置３１から凝縮器２２ｃ，２２ｄに冷却水が供給されるので、吸着器２２ｃ，２２ｄでは再生工程が実施される。
【０１０４】
この場合、前述の第５ステップにおいて吸着器２２ｂ，２２ｄ間に冷却水を循環させて吸着器２２ｄの温度を予め上昇させているので、吸着器２２ｄの温度を上昇させるために使用されて蒸気の発生に寄与しない温水の量が少なくてすみ、温水の利用効率が向上する。これにより、吸着器２２ｄで発生する蒸気の量、及び凝縮器２３ｄで凝縮する水蒸気の量が多くなる。その結果、凝縮器２３ｄで発生する吸着熱の量が多くなり、凝縮器２３ｄの冷却配管２７内を通る冷却水の温度が高くなる。
【０１０５】
一方、吸着器２２ａ，２２ｂでは、冷却装置３７から冷却水が供給され、吸着工程が実施される。この場合、前述の第５ステップにおいて吸着器２２ｂ，２２ｄ間に冷却水を循環させて吸着器２２ｂ内の温度を予め下げているので、吸着器２２ｂの温度を下げるために使用されて水分の凝縮に寄与しない冷却水の量が少なくてすみ、冷却水の利用効率が向上する。
【０１０６】
（第７ステップ）
第７ステップでは、図２３に示すように、冷却装置３１から供給される冷却水が、凝縮器２３ａを通り、凝縮器２３ｂ，２３ｃをバイパスし、その後凝縮器２３ｄを通るように、切替バルブ３３ａ〜３３ｈ，３４ａ〜３４ｄが駆動される。
【０１０７】
また、第７ステップでは、図２４に示すように、温水供給部３６から吸着器２２ｄに温水が供給され、冷却装置３７から吸着器２２ｂに冷却水が供給され、吸着器２２ａと吸着器２２ｃとの間で冷却水が循環するように、切替バルブ５１ａ〜５１ｋ，５２ａ〜５２ｊ，５３ａ〜５３ｇ及びポンプ５４ａ，５４ｂが駆動される。
【０１０８】
更に、第７ステップでは、図２５に示すように、開閉バルブ２６ａ，２６ｃ，２６ｄ，２８ｂ，２８ｃが閉状態、開閉バルブ２６ｂ，２８ａ，２８ｄが開状態となる。
【０１０９】
第７ステップでは、温水供給装置３６から吸着器２２ｄに温水が供給され、冷却装置３１から凝縮器２３ｄに冷却水が供給されるので、吸着器２２ｄでは再生工程が実施される。また、吸着器２２ｂには冷却装置３７から冷却水が供給され、吸着器２２ｂでは吸着工程が実施される。
【０１１０】
前述の第６ステップでは、吸着器２２ｃが再生工程を実施し、吸着器２２ａが吸着工程を実施しているので、第６ステップが終了した時点では吸着器２２ｃ内の温度は比較的高く、吸着器２２ａ内の温度は比較的高い状態である。
【０１１１】
第７ステップでは吸着器２２ｃと吸着器２２ａとの間に冷却水を循環させているので、吸着器２２ｃ内の温度が低下し、吸着器２２ａ内の温度が上昇して、吸着器２２ｃと吸着器２２ａとの間の温度差が小さくなる。
【０１１２】
この場合、吸着器２２ａ内の温度上昇にともなって、吸着器２２ａ内の吸着剤２５に吸着されている水分が蒸発する。この吸着器２２ａ内で発生した水蒸気は開閉バルブ２８ａを通って凝縮器２３ａ内に移動し、凝縮器２３ａ内で凝縮して液体になる。この液体は、配管２９を通って蒸発器２１に移動し、バット２１ｂ内に貯留される。
【０１１３】
（第８ステップ）
第８ステップでは、図２６に示すように、冷却装置３１から供給される冷却水が、凝縮器２３ｄを通り、凝縮器２３ｃ，２３ｂをバイパスし、その後凝縮器２３ａを通るように、切替バルブ３３ａ〜３３ｈ，３４ａ〜３４ｄが駆動される。
【０１１４】
また、第８ステップでは、図２７に示すように、温水供給部３６から吸着器２２ｄ，２２ａに温水が供給され、冷却装置３７から吸着器２２ｂ，２２ｃに冷却水が供給されるように、切替バルブ５１ａ〜５１ｋ，５２ａ〜５２ｊ，５３ａ〜５３ｇが駆動される。
【０１１５】
更に、第８ステップでは、図２８に示すように、開閉バルブ２６ａ，２６ｄ，２８ｂ，２８ｃが閉状態、開閉バルブ２６ｂ，２６ｃ，２８ａ，２８ｄが開状態となる。
【０１１６】
第８ステップでは、温水供給部３６から吸着器２２ａ，２２ｄに温水が供給され、冷却装置３１から凝縮器２３ａ，２３ｄに冷却水が供給されるので、吸着器２２ａ，２２ｄでは再生工程が実施される。
【０１１７】
この場合、前述の第７ステップにおいて吸着器２２ａ，２２ｃ間で冷却水を循環させて吸着器２２ａの温度を予め上昇させているので、吸着器２２ａの温度を上昇させるために使用されて蒸気の発生に寄与しない温水の量が少なくてすみ、温水の利用効率が向上する。これにより、吸着器２２ａで発生する蒸気の量、及び凝縮器２３ａで凝縮する水蒸気の量が多くなる。その結果、凝縮器２３ａで発生する吸着熱の量が多くなり、凝縮器２３ａの冷却配管２７内を通る冷却水の温度が高くなる。
【０１１８】
一方、吸着器２２ｂ，２２ｃでは、冷却装置３７から冷却水が供給され、吸着工程が実施される。この場合、前述の第７ステップにおいて吸着器２２ａ，２２ｃ間に冷却水を循環させて吸着器２２ｃ内の温度を予め下げているので、吸着器２２ｃの温度を下げるために使用されて水分の凝縮に寄与しない冷却水の量が少なくてすみ、冷却水の利用効率が向上する。
【０１１９】
上述したように、本実施形態では、第１ステップ、第３ステップ、第５ステップ及び第７ステップにおいて２つの吸着器間に冷却水を循環させ、温水の利用効率及び冷却水の利用効率を向上させている。これにより、再生工程を実施中の吸着器からより多くの蒸気を発生させることができ、凝縮器２２ａ〜２２ｄでより多くの熱を回収できる。
【０１２０】
その結果、凝縮器２２ａ〜２２ｄから冷却装置３１に戻る冷却水の温度が高くなり、冷却装置３１の熱交換効率が向上する。そのため、比較的小型の冷却装置３１で吸着式ヒートポンプ２０を効率よく稼働させることができる。
【０１２１】
例えば、本実施形態によれば、図１に示す構造の吸着式ヒートポンプを使用した場合に比べて、蒸発器から排出される冷却水の温度を２℃程度上昇させることができ、空冷方式の冷却装置のファンで使用する電力量を約１０％削減できる。
【０１２２】
以上の諸実施形態に関し、更に以下の付記を開示する。
【０１２３】
（付記１）第１の冷却配管が設けられた蒸発器と、
伝熱配管と吸着剤とを備え、前記蒸発器の上方に配置された第１の吸着器、第２の吸着器、第３の吸着器及び第４の吸着器と、
第２の冷却配管を備え、前記第１の吸着器の上方に配置された第１の凝縮器、前記第２の吸着器の上方に配置された第２の凝縮器、前記第３の吸着器の上方に配置された第３の凝縮器、及び前記第４の吸着器の上方に配置された第４の凝縮器と、
前記蒸発器と前記第１の吸着器、前記第２の吸着器、前記第３の吸着器、及び前記第４の吸着器との間にそれぞれ配置された第１の開閉バルブと、
前記第１の吸着器と前記第１の凝縮器との間、前記第２の吸着器と前記第２の凝縮器との間、前記第３の吸着器と前記第３の凝縮器との間、及び前記第４の吸着器と前記第４の凝縮器との間にそれぞれ配置された第２の開閉バルブと、
加熱媒体を供給する加熱媒体供給部と、
冷却媒体を供給する冷却媒体供給部と、
前記第１の吸着器、前記第２の吸着器、前記第３の吸着器、及び前記第４の吸着器のうちから選択された２つの吸着器の前記伝熱配管間で前記加熱媒体が混じった前記冷却媒体を循環させるポンプと、
前記加熱媒体及び前記冷却媒体を、それぞれ前記第１の吸着器、前記第２の吸着器、前記第３の吸着器、及び前記第４の吸着器の前記伝熱配管に選択的に供給し、前記冷却媒体を、前記第１の凝縮器、前記第２の凝縮器、前記第３の凝縮器及び前記第４の凝縮器のうちから選択された凝縮器の前記第２の冷却配管に供給し、且つ前記ポンプを制御する制御部と
を有することを特徴とする吸着式ヒートポンプシステム。
【０１２４】
（付記２）前記制御部は、所定の時間毎に、前記加熱媒体を供給する吸着器、前記冷却媒体を供給する吸着器、及び前記冷却媒体を供給する凝縮器を変更し、前記加熱媒体供給部及び前記冷却媒体供給部のいずれにも接続されていない２つの吸着器の間で前記加熱媒体が混じった前記冷却媒体を循環させることを特徴とする付記１に記載の吸着式ヒートポンプシステム。
【０１２５】
（付記３）前記制御部は、前記加熱媒体を供給している前記吸着器の上方に配置された前記凝縮器には前記冷却媒体を供給することを特徴とする付記１又は２に記載の吸着式ヒートポンプシステム。
【０１２６】
（付記４）前記制御部は、前記第１の吸着器、前記第２の吸着器、前記第３の吸着器、及び前記第４の吸着器のうちから選択された２つの吸着器に前記加熱媒体を供給するステップと、前記第１の吸着器、前記第２の吸着器、前記第３の吸着器、及び前記第４の吸着器のうちから選択された１つの吸着器に前記加熱媒体を供給するステップとを交互に繰り返すことを特徴とする付記１乃至３のいずれか１項に記載の吸着式ヒートポンプシステム。
【０１２７】
（付記５）前記制御部は、前記２つの吸着器に前記加熱媒体を供給するステップでは他の２つの吸着器に前記冷却媒体を供給し、前記１つの吸着器に前記加熱媒体を供給するステップでは、他の１つの吸着器に前記冷却媒体を供給し、残りの２つの吸着器間で前記加熱媒体が混じった前記冷却媒体を循環させることを特徴とする付記４に記載の吸着式ヒートポンプシステム。
【０１２８】
（付記６）前記冷却媒体供給部が、空冷方式の冷却装置であることを特徴とする付記１乃至５のいずれか１項に記載の吸着式ヒートポンプシステム。
【０１２９】
（付記７）前記加熱媒体供給部が、電子機器から発生した熱により前記加熱媒体を加熱するものであることを特徴とする付記１乃至６のいずれか１項に記載の吸着式ヒートポンプシステム。
【０１３０】
（付記８）前記吸着剤が、活性炭であることを特徴とする付記１乃至７のいずれか１項に記載の吸着式ヒートポンプシステム。
【０１３１】
（付記９）前記冷却装置は、外気を利用して前記冷却媒体を冷却することを特徴とする付記６に記載の吸着式ヒートポンプシステム。
【０１３２】
（付記１０）第１の冷却配管が設けられた蒸発器と、
伝熱配管と吸着剤とを備え、前記蒸発器の上方に配置された第１の吸着器、第２の吸着器、第３の吸着器及び第４の吸着器と、
第２の冷却配管を備え、前記第１の吸着器の上方に配置された第１の凝縮器、前記第２の吸着器の上方に配置された第２の凝縮器、前記第３の吸着器の上方に配置された第３の凝縮器、及び前記第４の吸着器の上方に配置された第４の凝縮器と、
前記蒸発器と前記第１の吸着器、前記第２の吸着器、前記第３の吸着器、及び前記第４の吸着器との間にそれぞれ配置された第１の開閉バルブと、
前記第１の吸着器と前記第１の凝縮器との間、前記第２の吸着器と前記第２の凝縮器との間、前記第３の吸着器と前記第３の凝縮器との間、及び前記第４の吸着器と前記第４の凝縮器との間にそれぞれ配置された第２の開閉バルブと
を有することを特徴とする吸着式ヒートポンプ。
【符号の説明】
【０１３３】
１０…吸着式ヒートポンプ、１１…蒸発器、１１ａ…冷却配管、１１ｂ…バット、１２…凝縮器、１３ａ，１３ｂ…吸着器、１４…伝熱配管、１５…吸着剤、１６ａ，１６ｂ，１７ａ，１７ｂ…開閉バルブ、１８…配管、２０…吸着式ヒートポンプ、２１…蒸発器、２１ａ…冷却配管、２１ｂ…バット、２２ａ〜２２ｄ…吸着器、２３ａ〜２３ｄ…凝縮器、２４…伝熱配管、２５…吸着剤、２６ａ〜２６ｄ，２８ａ〜２８ｄ…開閉バルブ、２７…冷却配管、２９…配管、３０…制御部、３１…冷却装置、３２…循環ポンプ、３３ａ〜３３ｈ，３４ａ〜３４ｄ，５１ａ〜５１ｋ，５２ａ〜５２ｊ，５３ａ〜５３ｇ…切替バルブ、３６…温水供給部、３７…冷却装置。
【図１】
2014062715.tif 000003
【図２】
2014062715.tif 000004
【図３】
2014062715.tif 000005
【図４】
2014062715.tif 000006
【図５】
2014062715.tif 000007
【図６】
2014062715.tif 000008
【図７】
2014062715.tif 000009
【図８】
2014062715.tif 000010
【図９】
2014062715.tif 000011
【図１０】
2014062715.tif 000012
【図１１】
2014062715.tif 000013
【図１２】
2014062715.tif 000014
【図１３】
2014062715.tif 000015
【図１４】
2014062715.tif 000016
【図１５】
2014062715.tif 000017
【図１６】
2014062715.tif 000018
【図１７】
2014062715.tif 000019
【図１８】
2014062715.tif 000020
【図１９】
2014062715.tif 000021
【図２０】
2014062715.tif 000022
【図２１】
2014062715.tif 000023
【図２２】
2014062715.tif 000024
【図２３】
2014062715.tif 000025
【図２４】
2014062715.tif 000026
【図２５】
2014062715.tif 000027
【図２６】
2014062715.tif 000028
【図２７】
2014062715.tif 000029
【図２８】
2014062715.tif 000030